【手続補正書】
【提出日】平成20年11月25日(2008.11.25)
【手続補正１】
【補正対象書類名】特許請求の範囲
【補正対象項目名】請求項１
【補正方法】変更
【補正の内容】
【請求項１】
記録媒体に光を照射する第一発光部と、
前記第一発光部から前記記録媒体に照射されて該記録媒体を透過した透過光を受光する受光部と、を有し、
前記第一発光部が、前記受光部の垂直受光軸上からずれた位置に配置されることを特徴とするセンサシステム。
【手続補正２】
【補正対象書類名】特許請求の範囲
【補正対象項目名】請求項２
【補正方法】変更
【補正の内容】
【請求項２】
更に、前記第一発光部に対して前記記録媒体を介した反対側から該記録媒体に光を照射する第二発光部を有し、前記受光部は、前記第二発光部から前記記録媒体に照射されて該記録媒体から反射された反射光を受光することを特徴とする請求項１に記載のセンサシステム。
【手続補正３】
【補正対象書類名】特許請求の範囲
【補正対象項目名】請求項３
【補正方法】変更
【補正の内容】
【請求項３】
前記第一発光部から前記記録媒体に照射される光の光軸と前記第二発光部から該記録媒体に照射される光の光軸とがなす角度が、前記第二発光部からの光の光軸と前記垂直受光軸とがなす角度よりも小さくなるように前記第一発光部と前記第二発光部が配置されることを特徴とする請求項２に記載のセンサシステム。
【手続補正４】
【補正対象書類名】特許請求の範囲
【補正対象項目名】請求項８
【補正方法】変更
【補正の内容】
【請求項８】
更に、前記第一発光部に対して前記記録媒体を介した反対側から該記録媒体に光を照射する第二発光部を有し、
前記受光部は、前記第二発光部から前記記録媒体に照射されて該記録媒体から反射された反射光のうちの正反射光を受光する第一受光部と、前記反射光のうちの乱反射光を受光する第二受光部と、を有することを特徴とする請求項１に記載のセンサシステム。
【手続補正５】
【補正対象書類名】特許請求の範囲
【補正対象項目名】請求項９
【補正方法】変更
【補正の内容】
【請求項９】
記録媒体に光を照射する第一発光部と、
前記第発光手段から記録媒体に照射されて該記録媒体を透過した透過光を受光する受光部と、
前記第一発光部と前記受光部との間に配置される光拡散部材とを有し、
前記受光部は、前記第一発光部から照射され前記記録媒体と前記光拡散部材とを透過した光を受光することを特徴とするセンサシステム。
【手続補正６】
【補正対象書類名】特許請求の範囲
【補正対象項目名】請求項１０
【補正方法】変更
【補正の内容】
【請求項１０】
更に、前記第一発光部に対して前記記録媒体を介した反対側から該記録媒体に光を照射する第二発光部を有し、前記受光部は、前記第二発光部から前記記録媒体に照射されて該前記記録媒体から反射された反射光を受光することを特徴とする請求項９に記載のセンサシステム。
【手続補正７】
【補正対象書類名】特許請求の範囲
【補正対象項目名】請求項１３
【補正方法】変更
【補正の内容】
【請求項１３】
更に、前記第一発光部に対して前記記録媒体を介した反対側から該記録媒体に光を照射する第二発光部を有し、
前記受光部は、前記第二発光部から前記記録媒体に照射されて該記録媒体から反射された反射光のうちの正反射光を受光する第一受光部と、前記反射光のうちの乱反射光を受光する第二受光部と、を有することを特徴とする請求項９に記載のセンサシステム。
【手続補正８】
【補正対象書類名】特許請求の範囲
【補正対象項目名】請求項１７
【補正方法】変更
【補正の内容】
【請求項１７】
記録媒体の種類を判別する記録媒体判別装置において、
記録媒体に光を照射する第一発光部と、
前記第一発光部から前記記録媒体に照射されて該記録媒体を透過した透過光を受光する受光部と、
前記受光部からの出力に基づいて前記記録媒体の種類を判別する判別部を有し、
前記第一発光部が、前記受光部の垂直受光軸上からずれた位置に配置されることを特徴とする記録媒体判別装置。
【手続補正９】
【補正対象書類名】特許請求の範囲
【補正対象項目名】請求項１８
【補正方法】変更
【補正の内容】
【請求項１８】
更に、前記第一発光部に対して前記記録媒体を介した反対側から該記録媒体に光を照射する第二発光部を有し、前記受光部は、前記第二発光部から前記記録媒体に照射されて該記録媒体から反射された反射光を受光し、
前記第一発光部から前記記録媒体に照射される光の光軸と前記第二発光部から記録媒体に照射される光の光軸とがなす角度が、前記第二発光部からの光の光軸と前記垂直受光軸とがなす角度よりも小さくなるように前記第一発光部と前記第二発光部が配置されており、
前記判別部は、前記第一発光部から光を照射した際に前記受光部から得られる出力と、前記第二発光部から光を照射した際に前記受光部から得られる出力と、に基づいて前記記録媒体の種類を判別することを特徴とする請求項１７に記載の記録媒体判別装置。
【手続補正１０】
【補正対象書類名】特許請求の範囲
【補正対象項目名】請求項２０
【補正方法】変更
【補正の内容】
【請求項２０】
更に、前記第一発光部に対して前記記録媒体を介した反対側から該記録媒体に光を照射する第二発光部を有し、
前記受光部は、前記第二発光部から前記記録媒体に照射されて該記録媒体から反射された反射光のうちの正反射光を受光する第一受光部と、前記反射光のうちの乱反射光を受光する第二受光部と、を有し、
前記判別部は、前記第一受光部から得られる出力と、前記第二受光部から得られる出力と、に基づいて前記記録媒体の種類を判別することを特徴とする請求項１７に記載の記録媒体判別装置。
【手続補正１１】
【補正対象書類名】特許請求の範囲
【補正対象項目名】請求項２１
【補正方法】変更
【補正の内容】
【請求項２１】
記録媒体の種類を判別する記録媒体判別装置において、
記録媒体に光を照射する第一発光部と、
前記第一発光部から前記記録媒体に照射されて該記録媒体を透過した透過光を受光する受光部と、
前記第一発光部と前記受光部との間に配置される光拡散部材と、
前記受光部からの出力に基づいて前記記録媒体の種類を判別する判別部とを有し、
前記受光部は、前記第一発光部から照射され記録媒体と前記光拡散部材とを透過した光を受光することを特徴とする記録媒体判別装置。
【手続補正１２】
【補正対象書類名】特許請求の範囲
【補正対象項目名】請求項２２
【補正方法】変更
【補正の内容】
【請求項２２】
更に、前記第一発光部に対して前記記録媒体を介した反対側から該記録媒体に光を照射する第二発光部を有し、前記受光部は、前記第二発光部から前記記録媒体に照射されて該記録媒体から反射される反射光を受光し、
前記判別部は、前記第一発光部から光を照射した際に前記受光部から得られる出力と、前記第二発光部から光を照射した際に前記受光部から得られる出力と、に基づいて前記記録媒体の種類を判別することを特徴とする請求項２１に記載の記録媒体判別装置。
【手続補正１３】
【補正対象書類名】特許請求の範囲
【補正対象項目名】請求項２５
【補正方法】変更
【補正の内容】
【請求項２５】
更に、前記第一発光部に対して前記記録媒体を介した反対側から該記録媒体に光を照射する第二発光部を有し、
前記受光部は、前記第二発光部から前記記録媒体に照射されて該記録媒体から反射される反射光のうちの正反射光を受光する第一受光部と、前記反射光のうちの乱反射光を受光する第二受光部と、を有し、
前記判別部は、前記第一受光部から得られる出力と、前記第二受光部から得られる出力と、に基づいて前記記録媒体の種類を判別することを特徴とする請求項２１の記録媒体判別装置。
【手続補正１４】
【補正対象書類名】明細書
【補正対象項目名】００３０
【補正方法】変更
【補正の内容】
【００３０】
上記目的を達成するための本発明のセンサシステムは、記録媒体に光を照射する第一発光部と、前記第一発光部から前記記録媒体に照射されて該記録媒体を透過した透過光を受光する受光部と、を有し、前記第一発光部が、前記受光部の垂直受光軸上からずれた位置に配置されることを特徴とする。
【手続補正１５】
【補正対象書類名】明細書
【補正対象項目名】００３１
【補正方法】変更
【補正の内容】
【００３１】
また、本発明の他のセンサシステムは、記録媒体に光を照射する第一発光部と、前記第発光手段から記録媒体に照射されて該記録媒体を透過した透過光を受光する受光部と、前記第一発光部と前記受光部との間に配置される光拡散部材とを有し、前記受光部は、前記第一発光部から照射され前記記録媒体と前記光拡散部材とを透過した光を受光することを特徴とする。
【手続補正１６】
【補正対象書類名】明細書
【補正対象項目名】００３２
【補正方法】変更
【補正の内容】
【００３２】
また、本発明の記録媒体判別装置は、記録媒体の種類を判別する記録媒体判別装置において、記録媒体に光を照射する第一発光部と、前記第一発光部から前記記録媒体に照射されて該記録媒体を透過した透過光を受光する受光部と、前記受光部からの出力に基づいて前記記録媒体の種類を判別する判別部を有し、前記第一発光部が、前記受光部の垂直受光軸上からずれた位置に配置されることを特徴とする。
【手続補正１７】
【補正対象書類名】明細書
【補正対象項目名】００３３
【補正方法】変更
【補正の内容】
【００３３】
また、本発明の記録媒体判別装置は、記録媒体の種類を判別する記録媒体判別装置において、記録媒体に光を照射する第一発光部と、前記第一発光部から前記記録媒体に照射されて該記録媒体を透過した透過光を受光する受光部と、前記第一発光部と前記受光部との間に配置される光拡散部材と、前記受光部からの出力に基づいて前記記録媒体の種類を判別する判別部とを有し、前記受光部は、前記第一発光部から照射され記録媒体と前記光拡散部材とを透過した光を受光することを特徴とする。